(57)【要約】      （修正有）【課題】本発明はコネクタのＥＭＣ特性を向上させる。【解決手段】コネクタは、シールドケース１００と、端子３００を保持したボディ２００と、シールドカバーとを備えている。シールドケース１００は、Ｙ−Ｙ’方向に延びた筒部１１０と、筒部１１０のＹ’方向側に位置し、Ｘ−Ｘ’方向において互いに対向し且つＺ’方向に延びた壁部１３０ｂ等を有する。ボディ２００は、Ｙ−Ｙ’方向に延び且つ筒部１１０内に配置された第１部と、第２部２２０を有している。第１部は、筒部に対してＹ’方向側に位置する基部２１２を有する。第２部２２０は、基部２１２からＺ’方向に延び且つ壁部間に配置されている。基部２１２の壁部間でＺ’方向に露出した第１露出部２１２ｂが、シールドカバーの第１カバー部４１０によりＺ’方向側から少なくとも部分的に覆われている。【選択図】図２Ａ
2020021554.tif 000002
【特許請求の範囲】
【請求項１】
導電性を有するシールドケースと、
前記シールドケース内に収容された絶縁性を有するボディと、
前記ボディに保持され且つ前記シールドケース内に収容された少なくとも一つの端子と、
前記シールドケースと別体であって、導電性を有するシールドカバーとを備えており、
前記シールドケースは、第１方向に延びた筒部と、
前記筒部に対して前記第１方向の一方側に位置し、第２方向において互いに対向しており且つ第３方向の一方に延びた一対の壁部とを有しており、前記第２方向は、前記第１方向に略直交し、前記第３方向は、前記第１方向及び前記第２方向に交差しており、
前記ボディは、前記第１方向に延びており且つ前記筒部内に配置された第１部と、第２部とを有しており、
前記第１部は、前記筒部に対して前記第１方向の一方側に位置する基部を有し、前記基部は、前記一対の壁部間で前記第３方向の一方側に露出した第１露出部を有しており、
前記第２部は、前記第１部の前記基部から前記第３方向の一方に延びており且つ前記シールドケースの前記一対の壁部間に配置されており、
前記シールドカバーは、第１カバー部を有しており、前記第１カバー部は、前記一対の壁部間に配置され且つ前記第３方向の一方側から前記第１部の前記第１露出部を少なくとも部分的に覆っているコネクタ。
【請求項２】
請求項１記載のコネクタにおいて、
前記シールドカバーは、前記第１カバー部に設けられた少なくとも一つの第１弾性アームを更に有しており、前記少なくとも一つの第１弾性アームは、前記シールドケースの前記筒部及び前記一対の壁部の少なくとも一つに対して弾性接触しているコネクタ。
【請求項３】
導電性を有するシールドケースと、
前記シールドケース内に収容された絶縁性を有するボディと、
前記ボディに保持され且つ前記シールドケース内に収容された少なくとも一つの端子と、
前記シールドケースと別体であって、導電性を有するシールドカバーとを備えており、
前記シールドケースは、第１方向に延びた筒部と、
前記筒部に対して前記第１方向の一方側に位置し、第２方向において互いに対向しており且つ第３方向の一方に延びた一対の壁部とを有しており、前記第２方向は、前記第１方向に略直交し、前記第３方向は、前記第１方向及び前記第２方向に交差しており、
前記ボディは、前記第１方向に延びており且つ前記筒部内に配置された第１部と、第２部とを有しており、
前記第１部は、前記筒部に対して前記第１方向の一方側に位置する基部を有し、
前記第２部は、前記第１部の前記基部から前記第３方向の一方に延びており且つ前記シールドケースの前記一対の壁部間に配置されており、前記第２部は、前記一対の壁部間で前記第１方向の他方側に露出した第２露出部を有しており、
前記シールドカバーは、第２カバー部を有しており、前記第２カバー部は、前記一対の壁部間に配置され且つ前記第１方向の他方側から前記第２部の前記第２露出部を少なくとも部分的に覆っているコネクタ。
【請求項４】
請求項３記載のコネクタにおいて、
前記シールドカバーは、前記第２カバー部に設けられた少なくとも一つの第２弾性アームを更に有しており、
前記少なくとも一つの第２弾性アームは、前記一対の壁部の何れか一方に対して弾性接触しているコネクタ。
【請求項５】
請求項４記載のコネクタにおいて、
前記一対の壁部は、一方の壁部及び他方の壁部を含み、
前記少なくとも一つの第２弾性アームは、複数であって、一方の第２弾性アーム及び他方の第２弾性アームを含み、
前記一方の第２弾性アームは、前記一方の壁部と前記ボディの前記第２部との間に挿入されており、前記他方の第２弾性アームは、前記他方の壁部と前記ボディの前記第２部との間に挿入されているコネクタ。
【請求項６】
請求項３〜５の何れかに記載のコネクタにおいて、
前記第２部には、前記第１方向の他方側に開放されており且つ前記第２カバー部を収容する収容凹部が設けられており、前記第２部の前記第２露出部は、前記収容凹部の底であるコネクタ。
【請求項７】
請求項１〜６の何れかに記載のコネクタにおいて、
前記シールドカバーは、少なくとも一つの取付部を更に有しており、
前記少なくとも一つの取付部は、前記一対の壁部間で、前記ボディの前記第２部及び前記シールドケースの前記一対の壁部の少なくとも一方に取り付けられているコネクタ。
【請求項８】
請求項７記載のコネクタにおいて、
前記少なくとも一つの取付部は、前記第１方向に延びており且つ前記第２部と前記一対の壁部のうちの一方との間に挿入されているコネクタ。
【請求項９】
請求項７又は８記載のコネクタにおいて、
前記少なくとも一つの取付部は、前記第１方向に延びており且つ前記第２部に設けられた挿入溝又は挿入孔に挿入され、前記第２部に取り付けられているコネクタ。
【請求項１０】
請求項１〜９の何れかに記載のコネクタにおいて、
前記一対の壁部の前記第１方向の寸法は、前記第２部の前記第１方向の寸法よりも大きいコネクタ。
【請求項１１】
請求項１〜１０の何れかに記載のコネクタにおいて、
前記筒部は、前記第１方向の一方側の第１端を有しており、
前記シールドケースは、前記第３方向において断面視略半筒状、断面視略円弧状又は断面視略Ｕ字状の延長部と、閉塞部とを更に有しており、
前記延長部は、前記筒部の前記第１端の前記第３方向の他方側の部分から前記第１方向の一方に延びており、且つ前記第２方向の一方の第１端と、その反対側の第２端とを有しており、
前記一対の壁部は、一方の壁部及び他方の壁部を含み、
前記一方の壁部は、前記延長部の前記第１端から前記第３方向の一方に延びており、
前記他方の壁部は、前記延長部の前記第２端から前記第３方向の一方に延びており、
前記閉塞部は、前記延長部内の空間及び前記一対の壁部間の空間を前記第１方向の一方側から少なくとも部分的に塞いでいるコネクタ。
【発明の詳細な説明】
【技術分野】
【０００１】
本発明は、コネクタに関する。
【背景技術】
【０００２】
従来のコネクタが下記特許文献１に記載されている。このコネクタは、端子と、ボディと、シールドケースとを備えている。端子は、略Ｌ字状であって、第１部と、これに対して直角な第２部とを有している。ボディは、略Ｌ字状であって、端子を保持している。シールドケースは、金属板をプレス成形したものであって、筒部と、筒部の後方に設けられた収容部とを有している。ボディは筒部によって保持され、端子の第１部が筒部内に配置され、且つ端子の第２部が収容部内に配置されている。
【先行技術文献】
【特許文献】
【０００３】
【特許文献１】特開２０１２−２２９２９号公報（段落０００８及び図１０〜図１１）
【発明の概要】
【発明が解決しようとする課題】
【０００４】
上記シールドケースの収容部の上板の後端には、折り曲げ片が連接されている。この折り曲げ片が、上板に対して略直角に折り曲げられ、収容部の後側開口を塞いでいる。しかし、収容部の前側開口は前側に開放されている。これが、従来のコネクタのＥＭＣ(Electro-Magnetic Compatibility)特性を悪化させる要因となっている。
【０００５】
本発明は、ＥＭＣ特性を向上させることができるコネクタを提供することにある。
【課題を解決するための手段】
【０００６】
上記課題を解決するために、本発明の一態様のコネクタは、導電性を有するシールドケースと、シールドケース内に収容された絶縁性を有するボディと、ボディに保持され且つシールドケース内に収容された少なくとも一つの端子と、シールドケースと別体であって、導電性を有するシールドカバーとを備えている。シールドケースは、第１方向に延びた筒部と、一対の壁部とを有している。一対の壁部は、筒部に対して第１方向の一方側に位置し、第２方向において互いに対向しており且つ第３方向の一方に延びている。第２方向は、第１方向に略直交している。第３方向は、第１方向及び第２方向に交差している。ボディは、第１方向に延びており且つ筒部内に配置された第１部と、第２部とを有している。第１部は、筒部に対して第１方向の一方側に位置する基部を有し、第２部は、第１部の基部から第３方向の一方に延びており且つシールドケースの一対の壁部間に配置されている。
【０００７】
基部は、一対の壁部間で第３方向の一方側に露出した第１露出部を有する構成とすることが可能である。この場合、シールドカバーは、第１カバー部を有しており、第１カバー部は、一対の壁部間に配置され且つ第３方向の一方側から第１部の第１露出部を少なくとも部分的に覆っていると良い。
このような態様のコネクタによる場合、ボディの第１部の基部の第１露出部が、シールドケースの一対の壁部間で第３方向の一方側に露出しているものの、この露出部が第１カバー部によって第３方向の一方側から少なくとも部分的に覆われている。このため、コネクタのＥＭＣ特性が向上する。
【０００８】
シールドカバーは、第１カバー部に設けられた少なくとも一つの第１弾性アームを更に有する構成とすることが可能である。少なくとも一つの第１弾性アームは、シールドケースの筒部及び一対の壁部の少なくとも一方に対して弾性接触する構成とすることが可能である。
このような態様のコネクタによる場合、少なくとも一つの第１弾性アームは、シールドケースの筒部及び一対の壁部の少なくとも一つに対して弾性接触し、これによりシールドカバーがシールドケースに安定的に導通される。そのため、シールドケース及びシールドカバーにより安定したグランドラインが形成可能となる。
【０００９】
第２部は、一対の壁部間で第１方向の他方側に露出した第２露出部を有する構成とすることが可能である。この場合、シールドカバーは、第２カバー部を有しており、第２カバー部は、一対の壁部間に配置され且つ第１方向の他方側から第２部の第２露出部を少なくとも部分的に覆っていると良い。
このような態様のコネクタによる場合、ボディの第２部の第２露出部が、シールドケースの一対の壁部間で第１方向の他方側に露出しているものの、この第２露出部が第２カバー部によって第１方向の他方側から少なくとも部分的に覆われている。このため、コネクタのＥＭＣ特性が向上する。
【００１０】
シールドカバーは、第２カバー部に設けられた少なくとも一つの第２弾性アームを更に有する構成とすることが可能である。少なくとも一つの第２弾性アームは、一対の壁部の何れか一方に対して弾性接触する構成とすることが可能である。
このような態様のコネクタによる場合、少なくとも一つの第２弾性アームは、シールドケースの一対の壁部の少なくとも一方に対して弾性接触し、これによりシールドカバーがシールドケースに安定的に導通される。そのため、シールドケース及びシールドカバーにより安定したグランドラインが形成可能となる。
【００１１】
一対の壁部は、一方の壁部及び他方の壁部を含んでいても良い。少なくとも一つの第２弾性アームは、複数であって、一方の第２弾性アーム及び他方の第２弾性アームを含んでいても良い。一方の第２弾性アームは、一方の壁部とボディの第２部との間に挿入され、他方の第２弾性アームは、他方の壁部とボディの第２部との間に挿入される構成とすることが可能である。
このような態様のコネクタによる場合、一方の第２弾性アームを一方の壁部とボディの第２部との間に、他方の第２弾性アームを他方の壁部とボディの第２部との間に挿入すると共に、第２カバー部によってボディの第２部の第２露出部を覆うことができる。すなわち、第２弾性アームの壁部に対する弾性接触させる工程と、第２カバー部のボディの第２部の第２露出部を覆う工程とを略同時に行うことができる。
【００１２】
第２部には、第１方向の他方側に開放されており且つ第２カバー部を収容する収容凹部が設けられた構成とすることが可能である。この場合、第２部の第２露出部は、収容凹部の底とすることが可能である。このような態様のコネクタによる場合、第２カバー部が第２部の収容凹部に収容されているので、第２カバー部が第２部の第２露出部を覆った状態で脱落し難い。
【００１３】
シールドカバーは、少なくとも一つの取付部を更に有する構成とすることが可能である。少なくとも一つの取付部は、一対の壁部間で、ボディの第２部及びシールドケースの一対の壁部の少なくとも一方に取り付けられた構成とすることが可能である。
このような態様のコネクタによる場合、第１カバー部又は第２カバー部を一対の壁部間に配置すると共に、少なくとも一つの取付部は、一対の壁部間で、ボディの第２部及びシールドケースの一対の壁部の少なくとも一方に取り付けることができる。よって、少なくとも一つの取付部の取り付けが容易になる。
なお、少なくとも一つの取付部は、シールドケース及びボディの少なくとも一方に取り付けられていれば良い。
【００１４】
少なくとも一つの取付部は、第１方向に延びた構成とすることが可能である。この場合、少なくとも一つの取付部は、第２部と一対の壁部のうちの一方との間に挿入された構成とすることが可能である。また、少なくとも一つの取付部は、第２部に設けられた挿入溝又は挿入孔に挿入され、第２部に取り付けられた構成とすることが可能である。
【００１５】
一対の壁部の第１方向の寸法は、第２部の第１方向の寸法よりも大きくすることが可能である。
【００１６】
筒部は、第１方向の一方側の第１端を有する構成とすることが可能である。シールドケースは、延長部と、閉塞部とを更に有する構成とすることが可能である。延長部は、筒部の第１端の第３方向の他方側の部分から第１方向の一方に延びる第３方向において断面視略半筒状、断面視略円弧状又は断面視略Ｕ字状とすることが可能である。延長部は、第２方向の一方の第１端と、その反対側の第２端とを有する構成とすることが可能である。一対の壁部は、一方の壁部及び他方の壁部を含んでいても良い。一方の壁部は、延長部の第１端から第３方向の一方に延び、他方の壁部は、延長部の第２端から第３方向の一方に延びた構成とすることが可能である。閉塞部は、延長部内の空間及び一対の壁部間の空間を第１方向の一方側から少なくとも部分的に塞く構成とすることが可能である。
このような態様のコネクタによる場合、延長部によって、一対の壁部間の空間が第３方向の他方側から塞がれ、閉塞部によって延長部内の空間及び一対の壁部間の空間が第１方向の一方側から少なくとも部分的に塞がれているので、コネクタのＥＭＣ特性が更に向上する。
【図面の簡単な説明】
【００１７】
【図１Ａ】本発明の実施例１に係るコネクタの正面、底面及び左側面から表した斜視図である。
【図１Ｂ】前記コネクタの背面、平面及び右側面から表した斜視図である。
【図２Ａ】前記コネクタの図１Ａ中の２Ａ−２Ａ断面図である。
【図２Ｂ】前記コネクタの図２Ａ中の２Ｂ−２Ｂ断面図である。
【図２Ｃ】前記コネクタの図２Ａ中の２Ｃ−２Ｃ断面図である。
【図２Ｄ】前記コネクタの図２Ａ中の２Ｄ−２Ｄ断面図である。
【図３Ａ】前記コネクタの正面、底面及び左側面から表した分解斜視図である。
【図３Ｂ】前記コネクタの背面、平面及び右側面から表した分解斜視図である。
【発明を実施するための形態】
【００１８】
以下、本発明の実施例１を含む複数の実施例に係るコネクタＣについて図１Ａ〜図３Ｂを参照しつつ説明する。このコネクタＣは、図示しない基板上に実装可能である。図１Ａ〜図３Ｂには、実施例１のコネクタＣが示されている。図１Ａ〜図１Ｂ、図２Ａ及び図２Ｃ〜図３Ｂに示すＹ−Ｙ’方向は、特許請求の範囲の第１方向に相当し、Ｙ−Ｙ’方向のうちのＹ’方向が第１方向の一方に、Ｙ方向が第１方向の他方に相当している。図１Ａ〜図１Ｂ及び図２Ｂ〜図３Ｂに示すＸ−Ｘ’方向は、Ｙ−Ｙ’方向に略直交しており、且つ特許請求の範囲の第２方向に相当している。Ｘ−Ｘ’方向のうちのＸ方向が第２方向の一方に、Ｘ’方向が第２方向の他方に相当している。図１Ａ〜図１Ｂ、図２Ａ〜図２Ｂ及び図３Ａ〜図３Ｂに示すＺ−Ｚ’方向は、Ｙ−Ｙ’方向及びＸ−Ｘ’方向に略直交しており、特許請求の範囲の第３方向に相当している。Ｚ−Ｚ’方向のうちのＺ’方向が第３方向の一方に、Ｚ方向が第３方向の他方に相当している。なお、Ｚ−Ｚ’方向は、Ｙ−Ｙ’方向及びＸ−Ｘ’方向に交差していても良い。
【００１９】
コネクタＣは、導電性を有するシールドケース１００を備えている。シールドケース１００は、プレス成形された金属板（図１Ａ〜図３Ｂ参照）で構成されていると良いが、これに限定されるものではない。シールドケース１００は、筒部１１０と、延長部１２０と、一対の壁部１３０ａ、１３０ｂとを有している。
【００２０】
筒部１１０は、Ｙ−Ｙ’方向に延びた円筒（図１Ａ〜図３Ｂ参照）又は多角筒である。すなわち、Ｙ−Ｙ’方向は、筒部１１０の長手方向に相当している。筒部１１０のＹ方向側は開放されている。筒部１１０は、環状（円環状又は多角環状）のＹ’方向の第１端を有し、当該第１端は、Ｚ方向側の部分と、Ｚ’方向側の部分とを有する。延長部１２０は、筒部１１０の第１端のＺ方向側の部分からＹ’方向に延びている。延長部１２０は、筒部１１０の第１端のＺ方向側の部分の形状に応じて、Ｚ−Ｚ’方向において断面視略半筒状（断面視略半円筒状（（図１Ａ〜図３Ｂ参照））又は断面視略半多角筒状）、断面視略円弧状又は断面視略Ｕ字状とされている。延長部１２０内の空間は、Ｙ方向において、筒部１１０内の空間に連通しており、Ｙ’方向において開放されている。延長部１２０は、Ｘ方向側の第１端１２１と、Ｘ’方向側の第２端１２２と、Ｙ’方向側の第３端とを有している。
【００２１】
壁部１３０ａ、１３０ｂは、延長部１２０の第１端１２１、第２端１２２から筒部１１０のＺ’方向の端を越えてＺ’方向に延びている。壁部１３０ａ、１３０ｂは、筒部１１０に対してＹ’方向側に位置し且つＸ−Ｘ’方向において互いに対向している。壁部１３０ａ、１３０ｂが、特許請求の範囲の一方、他方の壁部に相当する。壁部１３０ａは、Ｘ方向側の壁であって、第１部、第２部、外面（Ｘ方向側の面）及び内面（Ｘ’方向側の面）を有している。壁部１３０ｂは、Ｘ’方向側の壁であって、第１部、第２部、外面（Ｘ’方向側の面）及び内面（Ｘ方向側の面）を有している。壁部１３０ａ、１３０ｂの第１部は、筒部１１０のＹ’方向の端のＺ’方向側の部分に対して間隙を有して部分的に対向又は当接する部分である。壁部１３０ａ、１３０ｂの第２部は、壁部１３０ａ、１３０ｂの第１部よりもＺ’方向側の部分であって、Ｙ−Ｙ’方向において筒部１１０に対向しない部分である。壁部１３０ａ、１３０ｂによって空間が区画されている。この空間を壁部１３０ａ、１３０ｂ間の空間と称する。壁部１３０ａ、１３０ｂ間の空間は、第１空間と、第２空間とを有する。第１空間は、壁部１３０ａ、１３０ｂの第１部の間の空間であって、Ｚ方向において延長部１２０内の空間に連通し、Ｙ方向において筒部１１０内の空間に連通し且つＹ’方向において開放されている。第２空間は、壁部１３０ａ、１３０ｂの第２部の間の空間であって、第１空間に連通し、且つＹ方向、Ｙ’方向及びＺ’方向においてぞれぞれ開放されている。
【００２２】
壁部１３０ａ、１３０ｂには、少なくとも一つの脚部１３１ａ、１３１ｂが設けられている。少なくとも一つの脚部１３１ａ、１３１ｂは、図１Ａ〜図３Ｂに示すように、壁部１３０ａ、１３０ｂからＺ’方向に延びており且つ上記基板の図示しない第１、第２スルーホール電極に接続可能な構成とすることが可能である。
別の態様では、少なくとも一つの脚部１３１ａは、壁部１３０ａからＸ方向、Ｙ方向又はＹ’方向に延びており且つ上記基板の図示しない第１表面電極に接続可能であり、少なくとも一つの脚部１３１ｂは、壁部１３０ｂからＸ’方向、Ｙ方向又はＹ’方向に延びており且つ上記基板の図示しない第２表面電極に接続可能である構成とすることが可能である。  
更に別の態様では、少なくとも一つの脚部１３１ａ、１３１ｂは、壁部１３０ａ、１３０ｂの一部がカットされ、折り曲げられた構成とすることも可能である。この場合も、少なくとも一つの脚部１３１ａ、１３１ｂは、第１、第２表面電極に接続可能である。
少なくとも一つの脚部１３１ａ、１３１ｂが第１、第２スルーホール電極又は第１、第２表面電極に接続されることによって、グランド接続可能となっている。
【００２３】
シールドケース１００は、閉塞部１４０を更に有していても良い。閉塞部１４０は、図１〜図３Ｂに示すように、延長部１２０の第３端に連接された板とすることが可能である。この閉塞部１４０は、延長部１２０に対して略９０°折り曲げられており且つ延長部１２０内の空間及び壁部１３０ａ、１３０ｂ間の空間をＹ’方向側から少なくとも部分的に閉塞している。この場合、閉塞部１４０は、係合部１４１ａ、１４１ｂを有しており、壁部１３０ａ、１３０ｂが係合部１３２ａ、１３２ｂを有していても良い。係合部１４１ａ、１４１ｂは、閉塞部１４０のＸ方向側の端、Ｘ’方向側の端からＹ方向に延びており且つ壁部１３０ａ、１３０ｂの外面に当接する板を有している。係合部１４１ａ、１４１ｂの板及び係合部１３２ａ、１３２ｂの何れか一方には、係合凸部が設けられ、他方には係合孔が設けられている。係合凸部が係合孔に係合されることによって、閉塞部１４０が壁部１３０ａ、１３０ｂに固定されている。
別の態様では、閉塞部１４０は、壁部１３０ａ、１３０ｂの何れか一方の壁部に連接された板とすることが可能である。この閉塞部１４０は、一方の壁部に対して略９０°折り曲げられており且つ延長部１２０内の空間及び壁部１３０ａ、１３０ｂ間の空間をＹ’方向側から少なくとも部分的に閉塞している。この場合も、閉塞部１４０が係合部１４１ａ又は係合部１４１ｂを有し、他方の壁部が係合部１３２ａ又は係合部１３２ｂを有していても良い。
更に別の態様では、閉塞部１４０は、シールドケース１００と別体とすることが可能である。この閉塞部１４０は、延長部１２０内の空間及び壁部１３０ａ、１３０ｂ間の空間をＹ’方向側から少なくとも部分的に閉塞している。この場合も、閉塞部１４０が係合部１４１ａ、１４１ｂを有し、壁部１３０ａ、１３０ｂが係合部１３２ａ、１３２ｂを有していても良い。
なお、閉塞部１４０は省略可能である。上記何れの態様においても、係合部１４１ａ、１４１ｂ及び係合部１３２ａ、１３２ｂは省略可能である。
【００２４】
シールドケース１００は、少なくとも一つの当接部１５０を更に有していても良い。少なくとも一つの当接部１５０は、壁部１３０ａ及び壁部１３０ｂの少なくとも一方の壁部に設けられており且つ当該壁部に対して略９０°折り曲げられ、ボディ２００に対してＹ’方向側から当接している。なお、少なくとも一つの当接部１５０は省略可能である。なお、シールドケース１００が閉塞部１４０を有する場合、閉塞部１４０と少なくとも一つの当接部１５０とが干渉しないように、閉塞部１４０を部分的にカットしても良い。
【００２５】
コネクタＣは、ボディ２００及び端子３００を更に備えている。ボディ２００は、絶縁樹脂で構成されており、端子３００を保持し且つシールドケース１００内に収容されている。
【００２６】
ボディ２００は、第１部２１０を有している。ボディ２００の第１部２１０は、Ｙ−Ｙ’方向に延びており且つシールドケース１００の筒部１１０、延長部１２０及び壁部１３０ａ、１３０ｂの第１部内に収容されている。第１部２１０は、例えば、図３Ａ及び図３Ｂに示すように、先端部２１１と、基部２１２と、中間部２１３とを有していても良い。中間部２１３は、ボディ２００の先端部２１１と基部２１２の間の部分であって、筒部１１０内で保持されている。そのため、中間部２１３の外形寸法は、シールドケース１００の筒部１１０の内形寸法に対応している。中間部２１３は、Ｙ−Ｙ’方向に延びたロック孔２１３ａを有している。
【００２７】
先端部２１１は中間部２１３からＹ方向に延びた円筒又は多角筒であって、シールドケース１００の筒部１１０内に収容されている。先端部２１１は接続孔２１１ａを有している。接続孔２１１ａは、Ｙ−Ｙ’方向に延び且つＹ方向に開口した孔であって、ロック孔２１３ａに対してＹ方向側に位置し且つロック孔２１３ａに連通している。
【００２８】
基部２１２は中間部２１３からＹ’方向に延びたブロックである。基部２１２は、ロック溝２１２ａ及び第１露出部２１２ｂを有している。ロック溝２１２ａは、ロック孔２１３ａに対してＹ’方向側に位置し且つロック孔２１３ａに連通するロック溝２１２ａを有している。第１露出部２１２ｂは、筒部１１０のＹ’方向側に位置する基部２１２のＺ’方向側の外面であって、壁部１３０ａ、１３０ｂ間でＺ’方向に露出している。基部２１２は、第１露出部２１２ｂに対してＹ’方向側に位置する連結部を更に有している。
【００２９】
ボディ２００は、第２部２２０を更に有している。第２部２２０は、基部２１２の連結部からＺ’方向に延びている。この第２部２２０は、第１露出部２１２ｂに対してＹ’方向側に位置し且つ壁部１３０ａ、１３０ｂの第２部間に配置されている。第２部２２０のＹ−Ｙ’方向の寸法は、壁部１３０ａ、１３０ｂのＹ−Ｙ’方向の寸法よりも小さい。第２部２２０及び第１部２１０の基部２１２には、収容溝２３０が設けられている。収容溝２３０は、ロック溝２１２ａに対してＹ’方向側に位置し、Ｚ−Ｚ’方向に延びており、ロック溝２１２ａに連通し且つＹ’方向に開放されている。
【００３０】
端子３００は、略Ｌ字状の金属板で構成されている。端子３００は、接点部３１０と、リード部３２０と、テール部３３０とを有している。接点部３１０はＹ−Ｙ’方向に延びた筒（円筒又は多角筒）、板又は棒であって、ボディ２００の第１部２１０の接続孔２１１ａ及びロック孔２１３ａ内に収容されている。リード部３２０は、略Ｌ字状の板又は棒であって、接点部３１０のＹ’方向の端からＹ’方向に延びた水平部と、この水平部のＹ’方向の端からＺ’方向に延びた垂直部とを有している。リード部３２０の水平部が、ロック溝２１２ａ内に収容され、リード部３２０の垂直部が収容溝２３０内に収容されている。接点部３１０がロック孔２１３ａに保持されていても良いし、リード部３２０の水平部が、ロック溝２１２ａに保持されていても良いし、その双方であっても良い。テール部３３０は、リード部３２０のＺ’方向の端からＹ’方向又はＺ’方向に延びた板又は棒であって、上記基板の第３表面電極又は第３スルーホール電極に接続可能な構成となっている。
【００３１】
別の態様では、端子３００の接点部３１０はボディ２００の第１部２１０内に保持されており、接点部３１０の先端部が第１部２１０からＺ方向又はＺ’方向に露出、又はＹ方向に突出している。端子３００のリード部３２０はボディ２００の第２部２２０内に保持されている。端子３００のテール部３３０は、上記と同様の構成とすると良い。この場合、第１部２１０は、Ｙ−Ｙ’方向に延びており、且つシールドケース１００の筒部１１０、延長部１２０及び壁部１３０ａ、１３０ｂの第１部内に収容されており且つ第１部２１０の一部が筒部１１０に保持されている。第１部２１０は、延長部１２０及び壁部１３０ａ、１３０ｂの第１部内に配置される基部２１２、及び連結部を少なくとも有している。基部２１２は、第１露出部２１２ｂを有している。第１露出部２１２ｂは、筒部１１０のＹ’方向側に位置する基部２１２のＺ’方向側の外面であって、Ｚ’方向に露出している。連結部は、上記の通りである。ボディ２００の第２部２２０は、基部２１２の連結部からＺ’方向に延び、第１露出部２１２ｂに対してＹ’方向側に位置し且つ壁部１３０ａ、１３０ｂの第２部間に配置されている。この第２部２２０のＹ−Ｙ’方向の寸法も、壁部１３０ａ、１３０ｂのＹ−Ｙ’方向の寸法よりも小さい。
【００３２】
上記何れの態様であっても、端子３００及びボディ２００は、下記（ａ）又は（ｂ）の構成を更に有し、ボディ２００は下記（ｃ）の構成を更に有している。
（ａ）端子３００がボディ２００に保持され且つボディ２００がシールドケース１００内に収容されることによって、接点部３１０のＹ方向側の部分がシールドケース１００の筒部１１０内に配置され、接点部３１０のＹ’方向側の部分及びリード部３２０がシールドケース１００の延長部１２０及び壁部１３０ａ、１３０ｂ内に配置されている。換言すると、筒部１１０が端子３００の接点部３１０のＹ方向側の部分の周りに配置され、延長部１２０が端子３００の接点部３１０のＹ’方向側の部分及びリード部３２０に対してＺ方向側に配置され、壁部１３０ａ、１３０ｂが端子３００の接点部３１０のＹ’方向側の部分及びリード部３２０に対してＸ方向側、Ｘ’方向側に配置されている。
（ｂ）端子３００がボディ２００に保持され且つボディ２００がシールドケース１００内に収容されることによって、接点部３１０全部がシールドケース１００の筒部１１０内に配置され、リード部３２０がシールドケース１００の延長部１２０及び壁部１３０ａ、１３０ｂ内に配置されている。換言すると、筒部１１０が端子３００の接点部３１０の周りに配置され、延長部１２０が端子３００のリード部３２０に対してＺ方向側に配置され、壁部１３０ａ、１３０ｂが端子３００のリード部３２０に対してＸ方向側、Ｘ’方向側に配置されている。
（ａ）及び（ｂ）の何れの態様の場合であっても、シールドケース１００が閉塞部１４０を有している場合、閉塞部１４０が、リード部３２０に対してＹ’方向側に配置されている。
（ｃ）ボディ２００の第２部２２０は、第２部２２０のＹ方向側の面を有している。第２部２２０のＹ方向側の面には、Ｙ方向に開放された収容凹部２２１が設けられていても良い。この場合、収容凹部２２１の底は、壁部１３０ａ、１３０ｂ間でＹ方向側に露出する第２露出部２２３となっている。この収容凹部２２１は省略可能である。この場合、第２部２２０の第２部２２０のＹ方向側の面自体が、壁部１３０ａ、１３０ｂ間でＹ方向側に露出する第２露出部２２３となる。
【００３３】
コネクタＣは、導電性を有するシールドカバー４００を更に備えている。シールドカバー４００は、シールドケース１００と別体であって、プレス成形された金属板（図１Ａ〜図３Ｂ参照）又は鋳造法で作成された金属板で構成されている。
【００３４】
シールドケース１００は、第１カバー部４１０及び第２カバー部４３０の少なくとも一方を有している。第１カバー部４１０は、Ｙ−Ｙ’方向及びＸ−Ｘ’方向に延びた板である。第１カバー部４１０は、壁部１３０ａ、１３０ｂ間に配置され、Ｚ’方向側からボディ２００の第１部２１０の第１露出部２１２ｂを少なくとも部分的に覆っている。第１カバー部４１０は、Ｚ’方向側からボディ２００の第１部２１０の第１露出部２１２ｂを全面的に覆っていても良い。第１カバー部４１０は、第１露出部２１２ｂに当接していても良いし、間隙を有して対向していても良い。第１カバー部４１０の形状は、第１露出部２１２ｂの形状に対応していても良いが、これに限定されるものではない。図１Ａ〜図３では、第１カバー部４１０は、第１露出部２１２ｂの形状に応じて円弧状に湾曲している。第１カバー部４１０が第１部２１０の第１露出部２１２ｂを少なくとも部分的に覆うことによって、上記（ａ）の場合、第１カバー部４１０が端子３００の接点部３１０のＹ’方向側の部分及びリード部３２０の水平部に対してＺ’方向側に配置され、上記（ｂ）の場合、第１カバー部４１０がリード部３２０の水平部に対してＺ’方向側に配置されている。
【００３５】
第２カバー部４３０は、Ｘ−Ｘ’方向及びＺ−Ｚ’方向に延びた板である。第２カバー部４３０は、壁部１３０ａ、１３０ｂ間に配置され、Ｙ方向側からボディ２００の第２部２２０の第２露出部２２３を少なくとも部分的に覆っている。第２カバー部４３０は、Ｙ方向側からボディ２００の第２部２２０の第２露出部２２３を全面的に覆っていても良い。第２カバー部４３０は、第２部２２０の第２露出部２２３に当接していても良いし、間隙を有して対向していても良い。第２カバー部４３０の形状は、第２部２２０の第２露出部２２３の形状に対応していても良いが、これに限定されるものではない。第２部２２０に収容凹部２２１が設けられている場合、第２カバー部４３０に収容されていると良い。第２カバー部４３０は、ボディ２００の第２部２２０の第２露出部２２３を少なくとも部分的に覆うことによって、第２カバー部４３０が、端子３００のリード部３２０の垂直部に対してＹ方向側に配置されている。
【００３６】
シールドカバー４００は、連結部４５０を更に有していても良い。連結部４５０は、第１カバー部４１０のＹ’方向の端から第２カバー部４３０のＺ方向の端へ延びた板であって、略Ｌ字状に折り曲げられている。
【００３７】
シールドカバー４００は、少なくとも一つの第１弾性アーム４２０を更に有していても良い。少なくとも一つの第１弾性アーム４２０は、以下の（１）〜（４）の何れかの構成とすることが可能である。
（１）少なくとも一つの第１弾性アーム４２０は、図１Ａ〜図３Ｂに示すように第１カバー部４１０からＹ方向に延びており且つシールドケース１００の筒部１１０の外面にＺ’方向側から弾性接触している。
（２）少なくとも一つの第１弾性アーム４２０は、第１カバー部４１０からＹ方向に延びており且つシールドケース１００の筒部１１０の内面にＺ方向側から弾性接触している。この場合、ボディ２００には、少なくとも一つの第１弾性アーム４２０が挿入される挿入孔が少なくとも一つ設けられていても良い。挿入孔は、第１露出部２１２ｂからＹ方向に延びており、第１露出部２１２ｂでＺ’方向に開口し且つ筒部１１０の内面側に開口している。
（３）少なくとも一つの第１弾性アーム４２０は、第１カバー部４１０からＸ方向に延びており且つシールドケース１００の壁部１３０ａの内面のボディ２００のＹ方向側部分にＸ’方向側から弾性接触している。
（４）少なくとも一つの第１弾性アーム４２０は、第１カバー部４１０からＸ’方向に延びており且つシールドケース１００の壁部１３０ｂの内面のボディ２００のＹ方向側部分にＸ方向側から弾性接触している。
【００３８】
少なくとも一つの第１弾性アーム４２０は、複数とすることが可能である。この場合、各第１弾性アーム４２０が（１）〜（４）の何れかの構成となっていれば良い。図１Ａ〜図３Ｂでは、第１弾性アーム４２０は一対であって、（１）の構成となっている。
【００３９】
シールドカバー４００は、複数の第２弾性アーム４４０を更に有していても良い。複数の第２弾性アーム４４０は、少なくとも一方の第２弾性アーム４４０及び他方の第２弾性アーム４４０を含むと良い。例えば、一方の第２弾性アーム４４０及び他方の第２弾性アーム４４０は、以下の（Ａ）又は（Ｂ）の構成とすることが可能である。
【００４０】
（Ａ）一方、他方の第２弾性アーム４４０は、図１Ａ〜図３Ｂに示すように、第２カバー部４３０のＸ方向側の端部、Ｘ’方向側の端部からＹ’方向に延びている。一方の第２弾性アーム４４０は、シールドケース１００の壁部１３０ａとボディ２００の第２部２２０との間に挿入され、且つシールドケース１００の壁部１３０ａの内面にＸ’方向側から弾性接触している。他方の第２弾性アーム４４０は、シールドケース１００の壁部１３０ｂとボディ２００の第２部２２０との間に挿入され、且つシールドケース１００の壁部１３０ｂの内面にＸ方向側から弾性接触している。
この場合、ボディ２００の第２部２２０のＸ方向側、Ｘ’方向側の端部には、一方、他方の第２弾性アーム４４０が挿入される挿入溝２２２ａ、２２２ｂが設けられていても良い。第２部２２０に収容凹部２２１が設けられている場合、挿入溝２２２ａ、２２２ｂは、収容凹部２２１の底面（Ｙ方向側の面）からＹ’方向に延びていると良いが、これに限定されるものではない。挿入溝２２２ａは、Ｙ方向に開口し且つ壁部１３０ａの内面側に開口している。挿入溝２２２ｂは、Ｙ方向に開口し且つ壁部１３０ｂの内面側に開口している。第２部２２０に収容凹部２２１が設けられていない場合、挿入溝２２２ａ、２２２ｂは、第２部２２０のＹ方向側の面からＹ’方向に延びていれば良い。なお、挿入溝２２２ａ、２２２ｂを設ける代わりに、壁部１３０ａ、１３０ｂとボディ２００の第２部２２０との間に、一方、他方の第２弾性アーム４４０が挿入される間隙がそれぞれ生じていても良い。
【００４１】
（Ｂ）一方、他方の第２弾性アーム４４０は、第２カバー部４３０からＸ方向、Ｘ’方向に延びており、且つシールドケース１００の壁部１３０ａ、１３０ｂの内面にＸ’方向側、Ｘ方向側から弾性接触している。
【００４２】
シールドカバー４００は、複数の取付部４６０を更に有していても良い。複数の取付部４６０は、第１カバー部４１０又は第２カバー部４３０に設けられており、且つシールドケース１００及びボディ２００の少なくとも一方に取り付けられていれば良い。複数の取付部４６０は、少なくとも一方及び他方の取付部４６０を含むと良い。一方及び他方の取付部４６０は、例えば、以下の（ア）〜（オ）の何れかの構成とすることが可能である。
【００４３】
（ア）一方、他方の取付部４６０は、第１カバー部４１０又は第２カバー部４３０（図１Ａ〜図３Ｂ参照）のＸ方向側の端部、Ｘ’方向側の端部からＹ’方向に延びている。一方の取付部４６０は、シールドケース１００の壁部１３０ａとボディ２００の第２部２２０のＸ方向側の端面との間に挿入されている。一方の取付部４６０及び第２部２２０のＸ方向側の端面の何れか一方には、係合凸部が設けられ、他方に係合孔が設けられている。係合凸部が係合孔に係合されることによって、一方取付部４６０が第２部２２０のＸ方向側の端面に取り付けられている。他方の取付部４６０は、シールドケース１００の壁部１３０ｂとボディ２００の第２部２２０のＸ’方向側の端面との間に挿入されている。他方の取付部４６０及び第２部２２０のＸ’方向の端面の何れか一方には、係合凸部が設けられ、他方に係合孔が設けられている。係合凸部が係合孔に係合されることによって、他方の取付部４６０が第２部２２０のＸ’方向の端面に取り付けられている。
（イ）一方、他方の取付部４６０は、第１カバー部４１０又は第２カバー部４３０のＸ方向側の端部、Ｘ’方向側の端部からＹ’方向に延びている。一方の取付部４６０は、シールドケース１００の壁部１３０ａとボディ２００の第２部２２０のＸ方向側の端面との間に挿入されている。一方の取付部４６０及び壁部１３０ａの何れか一方には、係合凸部が設けられ、他方に係合孔が設けられている。係合凸部が係合孔に係合されることによって、一方の取付部４６０が壁部１３０ａに取り付けられている。他方の取付部４６０は、シールドケース１００の壁部１３０ｂとボディ２００の第２部２２０のＸ’方向側の端面との間に挿入されている。他方の取付部４６０及び壁部１３０ｂの何れか一方には、係合凸部が設けられ、他方に係合孔が設けられている。係合凸部が係合孔に係合されることによって、他方の取付部４６０が壁部１３０ｂに取り付けられている。
なお、（ア）及び（イ）の何れの場合も、第２部２２０のＸ方向側の端面と壁部１３０ａとの間に、一方の取付部４６０が挿入される挿入溝２２２ａが設けられ、且つ第２部２２０のＸ’方向側の端面と１３０ｂとの間に他方の取付部４６０が挿入される挿入溝２２２ｂが設けられていても良いし、第２部２２０のＸ方向側の端面と壁部１３０ａとの間に一方の取付部４６０が挿入される間隙が生じ、且つ第２部２２０のＸ’方向側の端面と１３０ｂとの間に他方の取付部４６０が挿入される間隙が生じていても良い。上記（ア）の場合、挿入溝２２２ａ、２２２ｂの底に上記係合凸部又は上記係合孔が設けられていると良い。
【００４４】
（ウ）一方、他方の取付部４６０は、第１カバー部４１０又は第２カバー部４３０のＸ方向側の端部、Ｘ’方向側の端部からＹ’方向に延びている。一方、他方の取付部４６０は、ボディ２００の第２部２２０にＸ−Ｘ’方向に間隔をあけて設けられた一対の挿入孔に嵌合（ＦＩＴ  ＩＮ）している。一対の挿入孔は、Ｙ方向のみ又はＹ方向及びＹ’方向のみに開口している。
【００４５】
（エ）一方、他方の取付部４６０は、第１カバー部４１０又は第２カバー部４３０からＸ方向、Ｘ’方向に延びており且つシールドケース１００の壁部１３０ａ、１３０ｂに設けられた嵌合孔に各々嵌合（ＦＩＴ  ＩＮ）している。
【００４６】
（オ）一方、他方の取付部４６０は、第１カバー部４１０又は第２カバー部４３０からＸ方向、Ｘ’方向に延びており且つシールドケース１００の壁部１３０ａ、１３０ｂに半田や導電接着剤で固定されている。
【００４７】
なお、上記何れかの態様の一方の取付部４６０と、上記何れかの態様の一方の第２弾性アーム４４０が第２カバー部４３０のＸ方向の端部にＺ−Ｚ’方向に間隔をあけて設けることが可能であり、上記何れかの態様の他方の取付部４６０と、上記何れかの態様の他方の第２弾性アーム４４０が第２カバー部４３０のＸ方向の端部にＺ−Ｚ’方向に間隔をあけて設けることが可能である（図１Ａ〜図３Ｂ参照）。
【００４８】
なお、シールドカバー４００は、第１カバー部４１０を有している場合、少なくとも一つの第１弾性アーム４２０、第２カバー部４３０、複数の第２弾性アーム４４０、連結部４５０及び／又は複数の取付部４６０は、省略可能である。シールドカバー４００は、第２カバー部４３０を有している場合、第１カバー部４１０、少なくとも一つの第１弾性アーム４２０、複数の第２弾性アーム４４０、連結部４５０及び／又は複数の取付部４６０は、省略可能である。シールドカバー４００が第１カバー部４１０及び第２カバー部４３０の双方を有し、連結部４５０が省略される場合、第１カバー部４１０と第２カバー部４３０は別体とすると良い。取付部４６０が省略される場合、第１カバー部４１０が、ボディ２００の第１部２１０の第１露出部２１２ｂ又はシールドカバー４００の筒部１１０に接着剤等で接着されていても良いし、第２カバー部４３０がボディ２００の第２部２２０の第２露出部２２３又はシールドカバー４００の壁部１３０ａ、１３０ｂに接着剤等で接着されていても良い。又は、第２カバー部４３０が収容凹部２２１に嵌合（ＦＩＴ  ＩＮ）することによって、第２カバー部４３０がボディ２００の第２部２２０に取り付けられていても良い。
【００４９】
以下、上記した何れかの態様のうちの幾つかの態様のコネクタＣの製造方法について説明する。まず、端子３００及びこれを保持したボディ２００を用意する。その後、シールドケース１００を用意する。ボディ２００の第１部２１０をシールドケース１００の筒部１１０、延長部１２０及び壁部１３０ａ、１３０ｂの第１部内に配置すると共に、ボディ２００の第２部２２０をシールドケース１００の壁部１３０ａ、１３０ｂの第２部内に配置する。これにより、端子３００の接点部３１０のＹ方向側の部分又は接点部３１０全部がシールドケース１００の筒部１１０内に配置され、接点部３１０のＹ’方向側の部分及びリード部３２０、又はリード部３２０がシールドケース１００の延長部１２０及び壁部１３０ａ、１３０ｂ内に配置される。
【００５０】
シールドケース１００が閉塞部１４０を有している場合、閉塞部１４０を延長部１２０又は一方の壁部に対して略９０°折り曲げる。これにより、閉塞部１４０が、延長部１２０内の空間及び壁部１３０ａ、１３０ｂ間の空間をＹ’方向側から少なくとも部分的に閉塞し、リード部３２０に対してＹ’方向側に配置される。又は、閉塞部１４０がシールドケース１００と別体である場合、延長部１２０内の空間及び壁部１３０ａ、１３０ｂ間の空間をＹ’方向側から少なくとも部分的に閉塞し、リード部３２０に対してＹ’方向側に配置されるように、閉塞部１４０をシールドケース１００に取り付ける。シールドケース１００が少なくとも一つの当接部１５０を有している場合、少なくとも一つの当接部１５０を壁部に対して略９０°折り曲げ、ボディ２００に当接させる。なお、閉塞部１４０及び少なくとも一つの当接部１５０の折り曲げ工程は何れを先に行っても構わない。
【００５１】
その後、シールドカバー４００を用意する。ここでは、上記したシールドカバー４００の種々の態様のうち、一部の態様を有するシールドカバー４００をシールドケース１００又はボディ２００に取り付ける手順について説明する。
【００５２】
用意されたシールドカバー４００が、第２カバー部４３０、上記（Ａ）の態様の一方、他方の第２弾性アーム４４０、及び、上記（ア）又は（イ）の態様の一方、他方の取付部４６０を有する場合、一方の取付部４６０及び一方の第２弾性アーム４４０を、ボディ２００の第２部２２０と壁部１３０ａとの間にＹ方向側から挿入すると共に、他方の取付部４６０及び他方の第２弾性アーム４４０を、ボディ２００の第２部２２０と壁部１３０ｂとの間にＹ方向側から挿入する。すると、一方の取付部４６０が、ボディ２００の第２部２２０のＸ方向の端面又は壁部１３０ａの内面に固定され、他方の取付部４６０が、ボディ２００の第２部２２０のＸ’方向の端面又は壁部１３０ｂの内面に固定され、一方の第２弾性アーム４４０が壁部１３０ａの内面にＸ’方向側から弾性接触し、且つ他方の第２弾性アーム４４０が壁部１３０ｂの内面にＸ方向側から弾性接触する。この取付部４６０及び第２弾性アーム４４０の挿入時において、第２カバー部４３０が壁部１３０ａ、１３０ｂ間に挿入され、第２カバー部４３０がＹ方向側からボディ２００の第２部２２０の第２露出部２２３を少なくとも部分的に覆うように配置される。第２部２２０に収容凹部２２１が設けられている場合、第２カバー部４３０がＹ方向側から収容凹部２２１内に収容され、第２露出部２２３を少なくとも部分的に覆うように配置される。
【００５３】
又は、上記（ウ）の態様の一対の取付部４６０を有する場合、一対の第２弾性アーム４４０の挿入と共に、一対の取付部４６０を、ボディ２００の第２部２２０の挿入孔に各々挿入すると良い。
【００５４】
シールドカバー４００が、第２カバー部４３０、上記（Ａ）の態様の一方、他方の第２弾性アーム４４０及び上記（ア）〜（ウ）の何れかの態様の一方、他方の取付部４６０に加えて、第１カバー部４１０及び連結部４５０を有する場合、前述の取付部４６０及び第２弾性アーム４４０の挿入時において、第１カバー部４１０が壁部１３０ａ、１３０ｂ間に挿入され、第１カバー部４１０がＺ’方向側からボディ２００の第１部２１０の第１露出部２１２ｂを少なくとも部分的に覆うように配置される。
【００５５】
シールドカバー４００が、第２カバー部４３０、上記（Ａ）の態様の一方、他方の第２弾性アーム４４０、上記（ア）〜（ウ）の何れかの態様の一方、他方の取付部４６０、第１カバー部４１０及び連結部４５０に加えて、少なくとも一つの第１弾性アーム４２０を有する場合、第１カバー部４１０がボディ２００の第１部２１０の第１露出部２１２ｂを少なくとも部分的に覆うときに、少なくとも一つの第１弾性アーム４２０がシールドケース１００の筒部１１０の外面、壁部１３０ａの内面及び壁部１３０ｂの内面の少なくとも一つに弾性接触する。
【００５６】
以上のようなコネクタＣは、以下の技術的特徴及び効果を奏する。
（１）コネクタＣのＥＭＣ特性が向上する。コネクタＣのシールドケース１００は、プレス成形された金属板で構成されているため、筒部１１０に対してＹ’方向側に位置する壁部１３０ａ、１３０ｂ内でＺ’方向に露出するボディ２００の第１部２１０の第１露出部２１２ｂ及び壁部１３０ａ、１３０ｂ内でＹ方向に露出するボディ２００の第２部２２０の第２露出部２２３をシールドケース１００自体で覆うことはできない。仮に、第１露出部２１２ｂを覆うためには、壁部１３０ａ、１３０ｂの一部を切り欠き、折り曲げる必要があり、第２露出部２２３を覆うためには、壁部１３０ａ、１３０ｂの別の一部を切り欠き、折り曲げる必要があり、そのようにすると、壁部１３０ａ、１３０ｂを形成することができなくなるためである。この点、コネクタＣは、シールドケース１００とは別体のシールドカバー４００の第１カバー部４１０及び第２カバー部４３０の少なくとも一方を備えているため、壁部１３０ａ、１３０ｂの一部を切り欠き、折り曲げることなく、第１カバー部４１０でＺ’方向側からボディ２００の第１部２１０の第１露出部２１２ｂを少なくとも部分的に覆うことができ、及び／又は、第２カバー部４３０でＹ方向側からボディ２００の第２部２２０の第２露出部２２３を少なくとも部分的に覆うことができる。このため、コネクタＣのＥＭＣ特性を向上させることができる。
【００５７】
（２）シールドケース１００が筒部１１０、延長部１２０、壁部１３０ａ、１３０ｂ及び閉塞部１４０を有し、且つシールドカバー４００が第１カバー部４１０及び第２カバー部４３０を有する場合、端子３００の接点部３１０及びリード部３２０の周囲が以下の通りシールドケース１００及びシールドカバー４００によって覆われるため、コネクタＣの通信特性が向上する。
端子３００の接点部３１０のＹ方向側の部分がシールドケース１００の筒部１１０内に配置され、接点部３１０のＹ’方向側の部分及びリード部３２０がシールドケース１００の延長部１２０及び壁部１３０ａ、１３０ｂ内に配置されている場合、シールドケース１００の筒部１１０が端子３００の接点部３１０のＹ方向側の部分の周囲に配置されている。シールドケース１００の延長部１２０が接点部３１０のＹ’方向側の部分及びリード部３２０に対してＺ方向側に配置されている。シールドケース１００の壁部１３０ａ、１３０ｂが接点部３１０のＹ’方向側の部分及びリード部３２０に対してＸ方向側、Ｘ’方向側に配置されている。シールドケース１００の閉塞部１４０がリード部３２０に対してＹ’方向側に配置されている。シールドカバー４００の第１カバー部４１０が端子３００の接点部３１０のＹ’方向側の部分及びリード部３２０の水平部に対してＺ’方向側に配置されている。シールドカバー４００の第２カバー部４３０が端子３００の接点部３１０のリード部３２０の垂直部に対してＹ方向側に配置されている。
端子３００の接点部３１０全部がシールドケース１００の筒部１１０内に配置され、リード部３２０がシールドケース１００の延長部１２０及び壁部１３０ａ、１３０ｂ内に配置されている場合、シールドケース１００の筒部１１０が端子３００の接点部３１０全部の周囲に配置されている。シールドケース１００の延長部１２０がリード部３２０に対してＺ方向側に配置されている。シールドケース１００の壁部１３０ａ、１３０ｂがリード部３２０に対してＸ方向側、Ｘ’方向側に配置されている。シールドケース１００の閉塞部１４０がリード部３２０に対してＹ’方向側に配置されている。シールドカバー４００の第１カバー部４１０が端子３００のリード部３２０の水平部に対してＺ’方向側に配置されている。シールドカバー４００の第２カバー部４３０が端子３００の接点部３１０のリード部３２０の垂直部に対してＹ方向側に配置されている。
【００５８】
（３）シールドカバー４００が少なくとも一つの第１弾性アーム４２０及び複数の第２弾性アーム４４０の少なくとも一方を有している場合、少なくとも一つの第１弾性アーム４２０がシールドケース１００の筒部１１０及び壁部１３０ａ、１３０ｂの少なくとも一つに弾性接触し、及び／又は、複数の第２弾性アーム４４０が、シールドケース１００の壁部１３０ａ、１３０ｂに弾性接触している。このため、シールドカバー４００がシールドケース１００に安定的に導通するので、シールドケース１００及びシールドカバー４００により安定したグランドラインを形成できる。
【００５９】
（４）シールドカバー４００が第１カバー部４１０及び少なくとも一つの第１弾性アーム４２０を有する場合、第１カバー部４１０がボディ２００の第１部２１０の第１露出部２１２ｂ（筒部１１０に対してＹ’方向側の部分）を少なくとも部分的に覆うときに、少なくとも一つの第１弾性アーム４２０を筒部１１０及び壁部１３０ａ、１３０ｂの少なくとも一つに弾性接触させることができる。シールドカバー４００が第２カバー部４３０及び複数の第２弾性アーム４４０を有している場合、第２カバー部４３０が壁部１３０ａ、１３０ｂの間でボディ２００の第２部２２０の第２露出部２２３を少なくとも部分的に覆うときに、第２弾性アーム４４０をシールドケース１００の壁部１３０ａ、１３０ｂに弾性接触させることができる。特に、複数の第２弾性アーム４４０が第２カバー部４３０からＹ’方向に延びている場合、第２弾性アーム４４０をボディ２００の第２部２２０と壁部１３０ａ、壁部１３０ｂとの間にそれぞれ挿入すると共に、第２カバー部４３０でボディ２００の第２部２２０の第２露出部２２３を少なくとも部分的に覆うことができる。更に、複数の第２弾性アーム４４０及び複数の取付部４６０が第２カバー部４３０からＹ’方向に延びている場合、第２弾性アーム４４０をボディ２００の第２部２２０と壁部１３０ａ、壁部１３０ｂとの間にそれぞれ挿入すると共に、取付部４６０をボディ２００の第２部２２０と壁部１３０ａ、壁部１３０ｂとの間にそれぞれ挿入する又はボディ２００の第２部２２０の挿入孔にそれぞれ挿入すると共に、第２カバー部４３０でボディ２００の第２部２２０の第２露出部２２３を少なくとも部分的に覆うことができる。
【００６０】
（５）ボディ２００の第２部２２０に収容凹部２２１が設けられている場合、シールドカバー４００の第２カバー部４３０が収容凹部２２１に収容されているため、シールドカバー４００が壁部１３０ａ、１３０ｂの間から脱落し難くなる。
【００６１】
（６）第２部２２０のＹ−Ｙ’方向の寸法は、壁部１３０ａ、１３０ｂのＹ−Ｙ’方向の寸法よりも小さい。換言すると、壁部１３０ａ、１３０ｂのＹ−Ｙ’方向の寸法は、第２部２２０のＹ−Ｙ’方向の寸法よりも大きい。このため、壁部１３０ａ、１３０ｂのＺ’方向の端を基板上に載置することによって、コネクタＣの実装状態を安定させることができる。
【００６２】
なお、上記したコネクタは、上記実施例に限定されるものではなく、特許請求の範囲の記載範囲において任意に設計変更することが可能である。以下、詳しく述べる。
【００６３】
本発明のボディは、第１部２１０の第１露出部２１２ｂ及び第２部２２０の第２露出部２２３を有するとしたが、第１露出部２１２ｂ及び第２露出部２２３の何れか一方を有していれば良い。前者を省略する場合、壁部１３０ａ、１３０ｂのＹ−Ｙ’方向の寸法をボディ２００の第２部２２０のＹ−Ｙ’方向の寸法と略同じ又は若干大きくし、筒部１１０で第１部２１０の第１露出部２１２ｂを覆うことが可能である。この場合、シールドカバー４００の第１カバー部４１０を省略すると良い。後者の場合、壁部１３０ａ、１３０ｂの何れか一方の壁部に連接されており且つ一方の壁部に対して略９０°折り曲げられた閉塞部によって、第２部２２０の第２露出部２２３を覆うことが可能である。この場合、シールドカバー４００の第２カバー部４３０を省略すると良い。
【００６４】
本発明のシールドケースは、プレス成形された金属板以外で構成されていても良い。例えば、シールドケースは、鋳造法で作成された金属板で構成されていても良い。本発明のシールドケースは、延長部を省略することが可能である。この場合、筒部に一対の壁部を連接させると良い。
【００６５】
上記した何れかの態様のコネクタは、絶縁性を有する外部ボディ内に収容される構成とすることが可能である。この外部ボディの少なくとも一部には、導電性を有する外部シールドに覆われていても良い。但し、本発明において、外部ボディ及び外部シールドは必須ではない。
【００６６】
本発明の第２弾性アーム及び／又は取付部は、少なくとも一つあれば良い。例えば、一つの第２弾性アーム４４０がＹ−Ｙ’方向に延びている場合、ボディ２００の第２部２２０には、一つの第２弾性アーム４４０が挿入される挿入溝が一つ設けられていても良いし、その挿入溝を設ける代わりに、壁部１３０ａ又は壁部１３０ｂとボディ２００の第２部２２０との間に、一つの第２弾性アーム４４０が挿入される間隙が生じていても良い。また、一つの取付部４６０がＹ−Ｙ’方向に延びている場合、一つの取付部４６０が挿入される挿入溝又は挿入孔が一つ設けられていても良いし、その挿入溝又は挿入孔を設ける代わりに、壁部１３０ａ又は壁部１３０ｂとボディ２００の第２部２２０との間に、一つの取付部４６０が挿入される間隙が生じていても良い。
【００６７】
本発明のコネクタの端子は、絶縁性を有するボディに保持され、上記した何れかの態様のシールドケースに収容され得るものである限り任意に設計変更することが可能である。本発明のコネクタの端子は、少なくとも一つあれば良く、複数とすることが可能である。例えば、複数の端子が絶縁性を有するボディに保持され、当該端子の接点部が上記した何れかの態様のシールドケースの第１シェルの筒部内に配置されると共に、複数の端子のリード部が上記した何れかの態様のシールドケースの一対の壁部間に配置される構成とすることが可能である。
【００６８】
本発明のコネクタは、基板上に実装されるものに限定されない。例えば、本発明のコネクタは、端子にケーブルが接続されたプラグコネクタとすることも可能である。この場合、本発明のシールドケースの脚部は省略される。
【００６９】
なお、上記実施例の各態様及び設計変形例におけるコネクタの各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。なお、本発明の第１方向は、本発明のシールドケースの筒部が延びる方向である限り任意に設定可能である。本発明の第２方向は、第１方向に交差する限り任意に設定可能である。本発明の第３方向は、第１方向及び第２方向に交差する限り任意に設定することができる。
【符号の説明】
【００７０】
Ｃ：コネクタ
１００：シールドケース
１１０：筒部
１２０：延長部
１２１：第１端
１２２：第２端
１３０ａ、１３０ｂ：壁部
１３１ａ、１３１ｂ：脚部
１３２ａ、１３２ｂ：係合部
１４０：閉塞部
１４１ａ、１４１ｂ：係合部
１５０：当接部
２００：ボディ
２１０：第１部
２１１：先端部
２１１ａ：接続孔
２１２：基部
２１２ａ：ロック溝
２１２ｂ：第１露出部
２１３：中間部
２１３ａ：ロック孔
２２０：第２部
２２１：収容凹部
２２２ａ、２２２ｂ：挿入溝
２２３：第２露出部
２３０：収容溝
３００：端子
３１０：接点部
３２０：リード部
３３０：テール部
４００：シールドカバー
４１０：第１カバー部
４２０：第１弾性アーム
４３０：第２カバー部
４４０：第２弾性アーム
４５０：連結部
４６０：取付部
【図１Ａ】
2020021554.tif 000003
【図１Ｂ】
2020021554.tif 000004
【図２Ａ】
2020021554.tif 000005
【図２Ｂ】
2020021554.tif 000006
【図２Ｃ】
2020021554.tif 000007
【図２Ｄ】
2020021554.tif 000008
【図３Ａ】
2020021554.tif 000009
【図３Ｂ】
2020021554.tif 000010